(57)【要約】【課題】取り外しが簡単で、しかも目皿表面にゴミや髪の毛、糸くずなどが引っかかったりからみついたりすることがなく、目皿表面を常に美麗に維持することができる排水トラップの目皿を提供すること。【解決手段】少なくとも目皿本体部１１については折り曲げ可能な弾性体で構成し、目皿本体部の中心位置に形成されたエルボ挿通穴１２と、目皿本体部の外周縁から前記エルボ挿通穴に向かって形成された第１切り込み部１４と、第１切り込み部と１８０度反対側に位置するエルボ挿通穴の穴縁から目皿本体部の外周縁に向かって形成された所定長さの第２切り込み部１５と、目皿本体部の下面側であって、排水トラップＢの目皿受Ｄと接する位置に、周方向同心状に立設された所定高さからなる複数個の脚部１３とを備え、目皿本体部１１の表面部は、漏れ水回収用の通水孔などを何ら穿たれていないめくら面のままとした。【選択図】      図１
2010168773.tif 000002
【特許請求の範囲】
【請求項１】
防水パン（Ａ）の排水口に取り付けられた排水トラップ（Ｂ）の開口部に装着される目皿（１）であって、
少なくとも排水トラップの開口部を覆う目皿本体部（１１）については折り曲げ可能な弾性体で構成し、
目皿本体部の中心位置に形成されたエルボ挿通穴（１２）と、
目皿本体部の外周縁から前記エルボ挿通穴に向かって形成された第１切り込み部（１４）と、
該第１切り込み部と１８０度反対側に位置するエルボ挿通穴の穴縁から目皿本体部の外周縁に向かって形成された所定長さからなる第２切り込み部（１５）と、
目皿本体部の下面側であって、排水トラップの目皿受（Ｄ）と接する位置に位置して、周方向同心状または半径方向放射状に立設された所定高さからなる複数個の脚部（１３，２３）とを備え、
前記目皿本体部（１１）の表面部は、漏れ水回収用の通水孔などを何ら穿たれていないめくら面のままとされていることを特徴とする排水トラップの目皿。
【請求項２】
請求項１記載の目皿において、
前記第２切り込み部（１５）と目皿本体部（１１）の外周縁との間のヒンジ部（１８）の部分に、逆Ｕ字状のノブ（１７）を一体に立設したことを特徴とする排水トラップの目皿。
【請求項３】
防水パン（Ａ）の排水口に取り付けられた排水トラップ（Ｂ）の開口部に装着される目皿（１）であって、
少なくとも排水トラップの開口部を覆う目皿本体部（１１）については折り曲げ可能な弾性体で構成し、
目皿本体部の中心位置に形成されたエルボ挿通穴（１２）と、
目皿本体部の外周縁から前記エルボ挿通穴に向かって形成された第１切り込み部（１４）と、
該第１切り込み部と反対側に位置するエルボ挿通穴の穴縁から目皿本体部の外周縁に向かって形成された、前記第１切り込み部の延長線に対して所定の角度で交差する向きの２つの第２切り込み部（１５，１５）と、
目皿本体部の下面側であって、排水トラップの目皿受（Ｄ）と接する位置に位置して、周方向同心状または半径方向放射状に立設された所定高さからなる複数個の脚部（１３，２３）とを備え、
前記目皿本体部（１１）の表面部は、漏れ水回収用の通水孔などを何ら穿たれていないめくら面のままとされていることを特徴とする排水トラップの目皿。
【請求項４】
請求項３記載の目皿において、
前記第１切り込み部（１４）と反対側に位置する目皿本体部（１１）の外周縁部であって、第１切り込み部の延長線上に位置して、逆Ｕ字状のノブ（１７）を一体に立設したことを特徴とする排水トラップの目皿。
【請求項５】
請求項１〜４のいずれかに記載の目皿において、
前記第２切り込み部（１５）の先端部に十字形状の切り込み（１５ａ）を形成するとともに、該十字形状切り込みの先端部分を平面視コ字形になる空隙部（１６）で囲んだことを特徴とする排水トラップの目皿。
【請求項６】
防水パン（Ａ）の排水口に取り付けられた排水トラップ（Ｂ）の開口部に装着される目皿（１）であって、
少なくとも排水トラップの開口部を覆う目皿本体部（１１）については折り曲げ可能な弾性体で構成し、
目皿本体部の中心位置に形成されたエルボ挿通穴（１２）と、
目皿本体部の外周縁から前記エルボ挿通穴に向かって形成された第１切り込み部（１４）と、
該第１切り込み部と１８０度反対側に位置するエルボ挿通穴の穴縁から目皿本体部の外周縁に向かって形成された所定長さからなる第２切り込み部（１５）と、
該第２切り込み部の先端と目皿本体部外周縁との間に形成された断面逆Ｖ字形になるヒンジ部（２０）と、
目皿本体部の下面側であって、排水トラップの目皿受（Ｄ）と接する位置に位置して、周方向同心状または半径方向放射状に立設された所定高さからなる複数個の脚部（１３，２３）とを備え、
前記目皿本体部（１１）の表面部は、漏れ水回収用の通水孔などを何ら穿たれていないめくら面のままとされていることを特徴とする排水トラップの目皿。
【請求項７】
請求項１〜６のいずれかに記載の目皿において、
エルボ挿通穴（１２）と第１切り込み部（１４）の連結部分にアール（１４ａ）を付け、エルボ挿通穴と第１切り込み部を滑らかにつないだことを特徴とする排水トラップの目皿。
【発明の詳細な説明】
【技術分野】
【０００１】
本発明は、防水パンの排水口に取り付けられている排水トラップの目皿に関するものである。
【背景技術】
【０００２】
例えば、洗い場に設置された洗濯機用防水パンの排水口には、排水管側からの臭気の逆流を防止する目的で、排水トラップが取り付けられている。この排水トラップは内外二重カップ構造になり、流れ込んでくる洗濯排水を内側と外側のカップの間に形成された空隙部に貯留することにより、内外の空気の流通を遮断し、排水管側からの臭気の逆流を防止するものである。
【０００３】
上記排水トラップの開口部には、開口部を覆って目皿が着脱自在に装着されている。そして、この目皿の中心部には、排水トラップ内から立ち上がるホース接続用エルボを挿通するためのエルボ挿通穴が形成されているとともに、目皿の表面には、洗濯機や水栓から防水パン上へこぼれ落ちた漏れ水を排水トラップ内へ導いて回収するための通水孔が多数形成されている。
【０００４】
ところで、防水パンを長い間使用していると、目皿表面の通水孔や排水トラップ内にゴミ、垢、髪の毛、糸くず、異物などが付着し、見た目にも汚くなるとともに、水はけも悪くなる。そのため、日常的に目皿や排水トラップ内を清掃したり手入れしたりしなければならない。しかしながら、従来の目皿は、ステンレスや硬質プラスチックなどの硬い材料で作られ、しかも目皿中心部のエルボ挿通穴には、洗濯機の排水ホースを接続するためのホース接続用エルボが挿通されおり、簡単に取り外すことが難しかった。
【０００５】
このような問題を解決するため、目皿を折り曲げ可能な弾性体で構成するとともに、目皿の外周縁から中心部のエルボ挿通穴に向けて切り欠き部を形成し、この切り欠き部によって目皿を折り曲げて押し広げることができるようにすることにより、ホース接続用エルボから簡単に取り外すことができるようにした目皿が提案されている（特許文献１参照）。
【先行技術文献】
【特許文献】
【０００６】
【特許文献１】特開２００８−１９６１７０号公報（全文、全図）
【発明の概要】
【発明が解決しようとする課題】
【０００７】
上記特許文献１に提案の目皿は、清掃に際して、目皿をホース接続用エルボから簡単に取り外すことができるという点において極めて優れたものであった。しかしながら、この目皿の場合も、それまでの目皿と同様に、目皿表面には、防水パン上にこぼれ落ちた漏れ水を回収するための通水孔が多数穿たれていた。そのため、この目皿表面の通水孔に髪の毛や糸くず、ゴミなどが引っかかったりからみつきやすく、それが目皿表面であるために必要以上に目立ってしまい、防水パンの美観上大きな問題であった。
【０００８】
本発明は、上記問題を解決するためになされたもので、取り外しが簡単で、しかも目皿表面にゴミや髪の毛、糸くずなどが引っかかったりからみついたりすることがなく、目皿表面を常に美麗に維持することができる排水トラップの目皿を提供することを課題とするものである。
【課題を解決するための手段】
【０００９】
上記課題を解決するため、本発明は次のような構成を採用した。
すなわち、請求項１記載の発明は、防水パン（Ａ）の排水口に取り付けられた排水トラップ（Ｂ）の開口部に装着される目皿（１）であって、少なくとも排水トラップの開口部を覆う目皿本体部（１１）については折り曲げ可能な弾性体で構成し、目皿本体部の中心位置に形成されたエルボ挿通穴（１２）と、目皿本体部の外周縁から前記エルボ挿通穴に向かって形成された第１切り込み部（１４）と、該第１切り込み部と１８０度反対側に位置するエルボ挿通穴の穴縁から目皿本体部の外周縁に向かって形成された所定長さからなる第２切り込み部（１５）と、目皿本体部の下面側であって、排水トラップの目皿受（Ｄ）と接する位置に位置して、周方向同心状または半径方向放射状に立設された所定高さからなる複数個の脚部（１３，２３）とを備え、前記目皿本体部（１１）の表面部は、漏れ水回収用の通水孔などを何ら穿たれていないめくら面のままとされていることを特徴とする排水トラップの目皿である。
【００１０】
請求項２記載の発明は、前記請求項１の目皿において、前記第２切り込み部（１５）と目皿本体部（１１）の外周縁との間のヒンジ部（１８）の部分に、逆Ｕ字状のノブ（１７）を一体に立設したことを特徴とするものである。
【００１１】
請求項３記載の発明は、防水パン（Ａ）の排水口に取り付けられた排水トラップ（Ｂ）の開口部に装着される目皿（１）であって、少なくとも排水トラップの開口部を覆う目皿本体部（１１）については折り曲げ可能な弾性体で構成し、目皿本体部の中心位置に形成されたエルボ挿通穴（１２）と、目皿本体部の外周縁から前記エルボ挿通穴に向かって形成された第１切り込み部（１４）と、該第１切り込み部と反対側に位置するエルボ挿通穴の穴縁から目皿本体部の外周縁に向かって形成された、前記第１切り込み部の延長線に対して所定の角度で交差する向きの２つの第２切り込み部（１５，１５）と、目皿本体部の下面側であって、排水トラップの目皿受（Ｄ）と接する位置に位置して、周方向同心状または半径方向放射状または半径方向放射状に立設された所定高さからなる複数個の脚部（１３，２３）とを備え、前記目皿本体部（１１）の表面部は、漏れ水回収用の通水孔などを何ら穿たれていないめくら面のままとされていることを特徴とする排水トラップの目皿である。
【００１２】
請求項４記載の発明は、前記請求項３の目皿において、前記第１切り込み部（１４）と反対側に位置する目皿本体部（１１）の外周縁部であって、第１切り込み部（１４）の延長線上に位置して、逆Ｕ字状のノブ（１７）を一体に立設したことを特徴とするものである。
【００１３】
請求項５記載の発明は、前記請求項１〜４のいずれかの目皿において、前記第２切り込み部（１５）の先端部に十字形状の切り込み（１５ａ）を形成するとともに、該十字形状切り込みの先端部分を平面視コ字形になる空隙部（１６）で囲んだことを特徴とするものである。
【００１４】
請求項６記載の発明は、防水パン（Ａ）の排水口に取り付けられた排水トラップ（Ｂ）の開口部に装着される目皿（１）であって、少なくとも排水トラップの開口部を覆う目皿本体部（１１）については折り曲げ可能な弾性体で構成し、目皿本体部の中心位置に形成されたエルボ挿通穴（１２）と、目皿本体部の外周縁から前記エルボ挿通穴に向かって形成された第１切り込み部（１４）と、該第１切り込み部と１８０度反対側に位置するエルボ挿通穴の穴縁から目皿本体部の外周縁に向かって形成された所定長さからなる第２切り込み部（１５）と、該第２切り込み部の先端と目皿本体部外周縁との間に形成された断面逆Ｖ字形になるヒンジ部（２０）と、目皿本体部の下面側であって、排水トラップの目皿受（Ｄ）と接する位置に位置して、周方向同心状または半径方向放射状に立設された所定高さからなる複数個の脚部（１３，２３）とを備え、前記目皿本体部（１１）の表面部は、漏れ水回収用の通水孔などを何ら穿たれていないめくら面のままとされていることを特徴とする排水トラップの目皿である。
【００１５】
請求項７記載の発明は、前記請求項１〜６のいずれかの目皿において、エルボ挿通穴（１２）と第１切り込み部（１４）の連結部分にアール（１４ａ）を付け、エルボ挿通穴と第１切り込み部を滑らかにつなげたことを特徴とするものである。
【発明の効果】
【００１６】
請求項１記載の発明によれば、弾性体からなる目皿本体部の表面部には、従来の目皿のような漏れ水を通すための通水孔のたぐいは一切穿たれておらず、めくら面のままとされている。このため、従来の目皿のように目皿表面に髪の毛や糸くず、ゴミなどがからみついたり引っかかったりするようなことがなくなり、汚れやすい目皿表面を常に美麗な状態に維持することができる。また、洗濯機や水栓などから防水パン上へ水がこぼれ落ちた場合には、このこぼれ落ちた漏れ水は、周方向同心状または半径方向放射状に立設された脚部によって目皿本体部と防水パンとの間に形成される通水用間隙を通って排水トラップ内へ導かれるので、目皿表面に通水孔がなくても、防水パン内に漏れ水が溜まるようなことはない。さらに、脚部を半径方向に向かって放射状に立設した場合には、排水トラップの開口径の大小にかかわらず開口部上に載置することができ、１種類の目皿ですべての排水トラップに対応することができる。
【００１７】
請求項２記載の発明によれば、第２切り込み部と目皿本体部の外周縁との間に形成されるヒンジ部分に、逆Ｕ字状のノブを一体に立設したので、目皿の脱着時にノブを掴んで確実に脱着操作を行なうことができるとともに、目皿本体部の左右方向への拡開時に無理な力のかかりやすいヒンジ部を補強することができ、目皿の寿命を延ばすことができる。
【００１８】
請求項３記載の発明によれば、２つの第２切り込み部が、第１切り込み部と反対側に位置するエルボ挿通穴の穴縁から目皿本体部の外周縁に向かって、前記第１切り込み部の延長線に対して所定の角度で交差する向きに形成されているので、目皿の脱着時、目皿本体部は２つの切り込み部のヒンジ部を回動支点として左右へ拡開されるので、目皿本体部の拡開角度をより大きくとることができ、ホース接続用エルボのエルボ挿通穴への挿脱をよりスムーズに行なうことができる。
【００１９】
請求項４記載の発明によれば、第１切り込み部（１４）と反対側に位置する目皿本体部（１１）の外周縁部に位置して、前記第１切り込み部（１４）の延長線上に一致させて逆Ｕ字状のノブ（１７）を一体に立設したので、目皿の脱着時にノブを掴んで確実に脱着操作を行なうことができる
【００２０】
請求項５記載の発明によれば、第２切り込み部の先端部に十字形状の切り込みを形成するとともに、該十字形状切り込みの先端部分を平面視コ字形になる空隙部で囲んだので、第１，第２切り込み部に沿った目皿本体部の左右方向への拡開動作がスムーズとなり、目皿の脱着をより簡単に行なうことができる。
【００２１】
請求項６記載の発明によれば、断面逆Ｖ字形になるヒンジ部を第２切り込み部の先端と目皿本体部外周縁との間に形成したので、目皿の脱着時、逆Ｖ字形になるヒンジ部を支点として目皿本体部の左右部分を上方へ向かってＶ字状に折り返すようにして押し開くことにより、目皿を脱着することができる。また、ヒンジ部とその周辺部分の構造が極めて簡単となるので、コスト削減を図ることができる。
【００２２】
請求項７記載の発明によれば、エルボ挿通穴と第１切り込み部の連結部分にアールを付け、エルボ挿通穴と第１切り込み部を滑らかにつなげたので、ホース接続用エルボのエルボ挿通穴への挿脱をよりスムーズに行なうことができ、目皿の脱着がより簡単となる。
【図面の簡単な説明】
【００２３】
【図１】第１の実施の形態を示すもので、（ａ）は正面図、（ｂ）は底面図、（ｃ）は右側面図である。
【図２】図１中のＩ−Ｉ線断面図である。
【図３】図１中のII−II線断面図である。
【図４】図１の目皿を排水トラップに装着した状態を示す図である。
【図５】図１の目皿を左右へ拡開した状態を示す図である。
【図６】第２の実施の形態を示すもので、（ａ）は正面図、（ｂ）は（ａ）中のIII−III線断面図、（ｃ）は底面図、（ｄ）は（ａ）中のIV−IV線断面図、（ｅ）は右側面図である。
【図７】第３の実施の形態を示すもので、（ａ）は正面図、（ｂ）は（ａ）中のＶ−Ｖ線断面図、（ｃ）は底面図、（ｄ）は（ａ）中のVI−VI線断面図、（ｅ）は右側面図である。
【図８】第４の実施の形態を示すもので、（ａ）は正面図、（ｂ）は（ａ）中のVII−VII線断面図、（ｃ）は底面図、（ｄ）は（ａ）中のVIII−VIII線断面図、（ｅ）は右側面図である。
【図９】第５の実施の形態を示すもので、（ａ）は正面図、（ｂ）は（ａ）中のIX−IX線断面図、（ｃ）は底面図、（ｄ）は（ａ）中のＸ−Ｘ線断面図、（ｅ）は右側面図である。
【図１０】図８の目皿を上方へ向かってＶ字状に折り返した状態を示す図である。
【図１１】第６の実施の形態を示すもので、（ａ）は正面図、（ｂ）は（ａ）中のXI−XI線断面図、（ｃ）は底面図、（ｄ）は（ａ）中のXII−XII線断面図、（ｅ）は右側面図である。
【図１２】第７の実施の形態を示すもので、（ａ）は正面図、（ｂ）は（ａ）中のXIII−XIII線断面図、（ｃ）は底面図、（ｄ）は（ａ）中のXIV−XIV線断面図、（ｅ）は右側面図である。
【発明を実施するための形態】
【００２４】
以下、本発明の実施の形態について、図面を参照して説明する。
図１〜図５に、本発明に係る目皿の第１の実施の形態を示す。
図において、１は本発明に係る目皿であって、防水パンＡ（図４参照）の排水口に取り付けられた排水トラップＢの開口部上縁に形成された目皿受Ｄ上に載置されるものである。この目皿１は、その全体が可撓性を有する弾性体（例えば、ＥＶＡ（エチレン酢酸ビニル共重合体）樹脂）によって構成されている。
【００２５】
平面視円形状になる目皿本体部１１は、排水トラップＢの開口部全体を覆うことができるように、排水トラップＢの開口部直径よりも所定寸法だけ大きな直径とされている。なお、図示例の場合、この目皿本体部１１は、側面から見たとき、その全体が上に凸の緩やかな曲面からなる皿状とされているが、平らな皿状であってもよい。
【００２６】
上記目皿本体部１１の中心部には、排水トラップＢ内から立ち上がるホース接続用エルボＣを挿通するためのエルボ挿通穴１２が形成されている。また、目皿本体部１１の下面には、排水トラップＢの開口部上縁に形成された目皿受Ｄと対向する位置に、所定高さからなる脚部１３が周方向ほぼ等間隔に複数個（図示例では８個）突設されており、この複数個の脚部１３を目皿受Ｄ上に載置することにより、目皿本体部１１の全体を脚部１３の高さだけ上方へ浮かし、目皿本体部１１と防水パンＡとの間に、漏れ水を回収するための通水用間隙１９（図４参照）が形成されるように構成されている。
【００２７】
目皿本体部１１には、その外周縁部からエルボ挿通穴１２に向けて、外周縁部からエルボ挿通穴１２まで達する第１切り込み部１４が形成されている。さらに、該第１切り込み部１４と反対側に位置するエルボ挿通穴１２の穴縁部には、該第１切り込み部１４の延長線に沿って、その先端部に十文字状の切り込み１５ａを備えた第２切り込み部１５が目皿本体部１１の外周縁近くまで形成され、これら第１および第２切り込み部１４，１５によって目皿本体部１１を左右へ押し広げて拡開できるように構成されている。
【００２８】
また、前記第２切り込み部１５の先端の十字形状切り込み１５ａの外側位置には、目皿本体部１１を第１，第２切り込み部１４，１５に沿って左右へ拡開する際のヒンジ性を向上させるため、十文字状切り込み１５ａの先端部を囲むように平面視コ字形になる空隙部１６が形成されている。さらに、この空隙部１６の外側位置には、ヒンジ部１８の補強を兼ねた逆Ｕ字状のノブ１７が第１，第２切り込み部１４，１５の延長線上に位置して一体に突設されている。
【００２９】
なお、本発明の目皿の場合、目皿本体部１１の表面には従来の目皿で穿たれていた通水孔は一切形成さられておらず、目皿本体部１１の表面部は通水孔のたぐいのまったくない表面平滑なめくら面とされている。
【００３０】
上記構造になる本発明の目皿は、次のようにして使用される。
まず、目皿１を排水トラップＢの開口部に取り付けるには、次のようにして行なう。すなわち、第１切り込み部１４の先端左右部分を持ち、目皿本体部１１を左右方向へ押し開く。これにより、目皿本体部１１は、図５に示すように、ヒンジ部１８を回動支点として左右に拡開される。
【００３１】
この拡開状態で、拡開部を排水トラップＢから立ち上がるホース接続用エルボＣに押し当て、目皿１の全体をホース接続用エルボＣ側に向けて押し込む。これにより、目皿１のホース挿通穴１２内にホース接続用エルボＣが嵌り込み、エルボ挿通穴１２へのホース接続用エルボＣの挿通が完了する。
【００３２】
上記のようにしてホース接続用エルボＣの挿通が完了したら、目皿１を下方へ向けて押し下げ、目皿本体部１１の下面に立設されている脚部１３を排水トラップＢの開口部上縁に形成されている目皿受Ｄ上に載置する。これにより、目皿１は、図４に示すように、脚部１３の高さだけ目皿本体部１１を上方へ浮かした状態で目皿受Ｄ上に装着される。この結果、目皿本体部１１と防水パンＡとの間には、防水パンＡ上へこぼれ落ちた漏れ水を排水トラップＣ内へ流し込むための通水用間隙１９が形成された状態となる。
【００３３】
一方、清掃などに際して目皿１を取り外すには、逆Ｕ字状のノブ１７を掴み、目皿１の全体を手前側へ引っ張ればよい。目皿１の全体を手前側へ向けて引っ張ると、目皿本体部１１が第１，第２切り込み部１４，１５を境にして左右へ拡開していき、目皿１をホース接続用エルボＣから簡単に取り外すことができる。
【００３４】
上記目皿１の脱着時、目皿本体部１１は、第１，第２切り込み部１４，１５を境にして左右へ大きく押し広げられるので、左右に二分された目皿本体部１１を連結しているヒンジ部１８の部分に大きな力が作用し、長い間にはこの部分で目皿本体部１１が切れたり、損傷するおそれがある。そこで、本発明では、目皿脱着時のつまみを兼ねて逆Ｕ字状のノブ１７をこのヒンジ部１８の部分に一体に立設し、ヒンジ部１８の補強を図っている。
【００３５】
本発明の目皿の場合、目皿本体部１１の表面には、従来の目皿で用いられている通水孔のたぐいは何ら穿たれていないが、洗濯機や水栓から防水パンＡ上へ水がこぼれ落ちた場合、このこぼれ落ちた漏れ水は目皿本体部１１と防水パンＡとの間に形成された通水用間隙１９を通って排水トラップＢ内へ導かれ、防水パンＡ内に溜まるようなことはない。
【００３６】
また、従来の目皿の場合、目皿表面に穿たれている通水孔に髪の毛や糸くず、ゴミなどが引っかかったりからみついたして見た目にもかなり汚くなりやすかった。これに対し、本発明の目皿の場合、目皿本体部１１の表面部には漏れ水を通すための通水孔のたぐいは一切穿たれておらず、表面平滑なめくら面のままとされている。このため、目皿本体部１１の表面に髪の毛や糸くず、ゴミなどがからみついたり引っかかったりするようなことがなくなり、汚れやすい目皿表面を常に美麗な状態に維持することができる。
【００３７】
また、第２切り込み部１５の先端部に十字形状の切り込み１５ａを形成するとともに、該十字形状切り込み１５ａの先端部分を平面視コ字形になる空隙部１６で囲んでいるので、第１，第２切り込み部１４，１５に沿った目皿本体部１１の左右方向への拡開動作がスムーズとなり、目皿の脱着をより簡単に行なうことができる。
【００３８】
また、第２切り込み部１５と目皿本体部１１の外周縁との間のヒンジ部１８の部分に、逆Ｕ字状のノブ１７を一体に立設しているので、目皿の脱着時にノブ１７を掴んで確実に脱着操作を行なうことができるとともに、目皿本体部１１の左右方向への拡開時に無理な力のかかりやすいヒンジ部１８の部分をこのノブ１７によって補強することができ、目皿の寿命を延ばすことができる。
【００３９】
なお、上記実施の形態では、目皿１の全体を弾性体で構成したが、必ずしも目皿全体を弾性体で構成する必要はなく、少なくとも目皿本体部１１については弾性体で構成するとともに、脚部１３部分については硬質プラスチックなどで構成し、硬質プラスチックからなる脚部１３を目皿本体部１１の下面部に接着固定するようにしてもよい。
【００４０】
図６に、本発明に係る目皿の第２の実施の形態を示す。
この第２の実施の形態は、前記第１の実施の形態（図１）と同様な構成において、エルボ挿通穴１２と第１切り込み部１４の連結部分にアール１４ａを付け、エルボ挿通穴１２と第１切り込み部１４を滑らかにつなげたもので、ホース接続用エルボＣのエルボ挿通穴１２への挿脱をよりスムーズに行なえるようにしたものである。なお、他の構成部分は、前記第１の実施の形態と同様であるので、詳細な説明は省略する。
【００４１】
図７に、本発明に係る目皿の第３の実施の形態を示す。
この第３の実施の形態は、前記第２の実施の形態（図６）と同様な構成において、第２切り込み部１５を２つ形成した場合の例である。すなわち、第１切り込み部１４の延長線に対して４５度で交わる向きに、２つの第２切り込み部１５，１５を形成したものである。
【００４２】
この第３の実施の形態の場合、目皿脱着時、目皿本体部１１は４５度方向に形成した２つの切り込み部１５，１５のヒンジ部１８を回動支点として左右へ拡開されるので、目皿本体部１１の拡開角度をより大きくとることができ、ホース接続用エルボＣのエルボ挿通穴１２への挿脱をよりスムーズに行なうことができる。なお、他の構成部分は、前記第１および第２の実施の形態と同様であるので、その詳細な説明は省略する。
【００４３】
図８に、本発明に係る目皿の第４の実施の形態を示す。
この第４の実施の形態は、第１切り込み部１４の延長線に対して９０度方向、すなわち第１切り込み部１４の延長線と直交する向きに、２つの第２切り込み部１５，１５を形成したものである。
【００４４】
この第４の実施の形態の場合も、前記第３の実施の形態と同様に、目皿脱着時、目皿本体部１１は９０度方向に設けられた２つの第２切り込み部１５，１５のヒンジ部１８を回動支点として左右へ拡開されるので、目皿本体部１１の拡開角度を更に大きくとることができ、ホース接続用エルボＣのエルボ挿通穴１２への挿脱をさらにスムーズに行なうことができる。なお、他の構成部分は、前記第１および第２の実施の形態と同様であるので、その詳細な説明は省略する。
【００４５】
図９に、本発明に係る目皿の第５の実施の形態を示す。
この第５の実施の形態は、前記第２の実施の形態（図６）において、ノブ１７，ヒンジ部１８部分の形状を変えたものである。すなわち、第２の実施の形態におけるノブ１７とヒンジ部１８に代えて、ノブの役目も兼ねた断面逆Ｖ字形（山形）になるヒンジ部２０を第２切り込み部１５の先端部分に形成したものである。なお、この第５の実施の形態では、第２切り込み部１５先端の十字形状切り込み１５ａとこれを取り囲むコ字形空隙部１６も省略した。
【００４６】
この第５の実施の形態の場合、目皿脱着時における目皿本体部１１の開閉は、前記第１〜第４の実施の形態のようにヒンジ部１８を回動支点として左右方向に押し開くのではなく、図９に示すように、目皿本体部１１の左右部分をヒンジ部２０を回動支点として上方へ向けてＶ字状に折り返して開くことにより、目皿１を脱着する。この第５の実施の形態の場合、ヒンジ部２０とその周辺部分の構造が極めて簡単となるので、コスト削減を図ることができる。
【００４７】
図１１に、本発明に係る目皿の第６の実施の形態を示す。
この第６の実施の形態は、前記第２の実施の形態（図６）において、同心円状の脚部１３に代えて、直線状になる脚部２３を目皿本体部１１の中心側から外周方向に向けて放射状に複数個（図示例では１０個）立設したものである。なお、脚部２３以外の部分の構成は、第２の実施の形態（図６）と同様であるので、その詳細な説明は省略する。
【００４８】
第６の実施の形態のように放射状の脚部２３とした場合、排水トラップＢ（図４参照）の開口径が違っても１つの目皿で対応することができる。このため、排水トラップの開口径毎に専用の目皿を造る必要がなくなり、コスト削減を図ることができる。すなわち、図６の同心円状に配置した脚部１３の場合、例えば排水トラップＢの開口径が脚部１３の同心円直径よりも大きいと、脚部１３が目皿受Ｄ上に乗ることができずに開口部内に落ち込んでしまい、通水用間隙１９を形成することができなくなる。これに対して、放射状の脚部２３の場合、排水トラップＢの開口径の大小にかかわらず脚部２３が開口部内に落ち込むことがない。このため、排水トラップの開口径にかかわらず通水用間隙１９を形成することができ、１つの目皿で対応することができる。
【００４９】
図１２に、本発明に係る目皿の第７の実施の形態を示す。
この第７の実施の形態は、前記第３の実施の形態（図７）において、同心円状の脚部１３に代えて、前記第６の実施の形態と同様に、直線状になる脚部２３を目皿本体部１１の中心側から外周方向に向けて放射状に複数個（図示例では１１個）立設したものである。この放射状の脚部２３の効果は、前記第６の実施の形態と同様である。なお、脚部２３以外の部分の構成は、第３の実施の形態（図７）と同様であるので、その詳細な説明は省略する。
【符号の説明】
【００５０】
Ａ    防水パン
Ｂ    排水トラップ
Ｃ    ホース接続用エルボ
Ｄ    目皿受
１    目皿
１１  目皿本体部
１２  エルボ挿通穴
１３  脚部
１４  第１切り込み部
１４ａ  アール
１５  第２切り込み部
１５ａ  十字形状切り込み
１６  空隙部
１７  ノブ
１８  ヒンジ部
１９  通水用間隙
２０  ヒンジ部
２３  脚部
【図１】
2010168773.tif 000003
【図２】
2010168773.tif 000004
【図３】
2010168773.tif 000005
【図４】
2010168773.tif 000006
【図５】
2010168773.tif 000007
【図６】
2010168773.tif 000008
【図７】
2010168773.tif 000009
【図８】
2010168773.tif 000010
【図９】
2010168773.tif 000011
【図１０】
2010168773.tif 000012
【図１１】
2010168773.tif 000013
【図１２】
2010168773.tif 000014